(57)【要約】      （修正有）【課題】容易かつ確実に鍵を離脱不能に連結するキーホルダーを提供する。【解決手段】ワイヤ２と、ワイヤ２の左側端部に設けられたネジ端子２０を離脱不能に連結してワイヤを環状に保持する連結金具１０と、を備えるキーホルダー１であって、ネジ端子２０には、雄ネジ部２１と、雄ネジ部２１の左側に配設された棒状体の被加締部２３と、が形成され、連結金具１０は、ネジ端子２０が連結される連結穴１３が形成され、連結穴１３は、雌ネジ孔１６と、被加締部を収容可能な収容孔１７と、が形成され、周壁１１の外面に、平面状の加締面が形成され、連結金具１０にネジ端子２０を連結させる際に、雌ネジ孔１６に雄ネジ部２１を螺合して収容孔１７に被加締部２３が収容された状態で、加締面を外面側から加締めて周壁１１を塑性変形することにより、連結金具１０の周壁１１と被加締部２３を圧着させる。【選択図】図３
0003218528.tif 000002
【実用新案登録請求の範囲】
【請求項１】
屈曲可能なワイヤと、上記ワイヤの右側端部に上記ワイヤから離脱不能に取り付けられていると共に上記ワイヤの左側端部に設けられたネジ端子を離脱不能に連結して上記ワイヤを環状に保持する連結金具と、を備えるキーホルダーであって、
上記ネジ端子には、雄ネジ部と、上記雄ネジ部の左側に配設された棒状体の被加締部と、が形成され、
上記連結金具は、左右に開口した筒状の周壁と、上記周壁の左側の開口を閉鎖する底板により、上記ネジ端子が連結される連結穴が形成され、
上記連結穴は、上記雄ネジ部が螺合される雌ネジ孔と、上記雌ネジ孔の左側に形成されると共に上記被加締部を収容可能な収容孔と、が形成され、
上記周壁の外面に、平面状の加締面が形成され、
上記連結金具に上記ネジ端子を連結させる際に、上記雌ネジ孔に上記雄ネジ部を螺合して上記収容孔に上記被加締部が収容された状態で、上記加締面を外面側から加締めて上記連結金具の上記周壁を塑性変形することにより、上記連結金具の上記周壁と上記被加締部を圧着させる、ことを特徴とするキーホルダー。
【請求項２】
請求項１記載のキーホルダーにおいて、
上記連結金具は、上記底板に上記ワイヤが挿通可能な挿通口が形成されており、上記ワイヤが上記挿通口に挿通された状態において、上記ワイヤの右側端部に設けられた係止部と上記底板が係止することにより、上記連結金具が上記ワイヤの右側端部から離脱不能になる、ことを特徴とするキーホルダー。
【請求項３】
請求項１又は２記載のキーホルダーにおいて、
上記周壁は、左右方向と直交する方向の外周断面が六角形である、ことを特徴とするキーホルダー。
【請求項４】
請求項１ないし３のいずれかに記載のキーホルダーにおいて、
上記被加締部は、六角柱形状の棒状体である、ことを特徴とするキーホルダー。
【請求項５】
請求項１ないし４のいずれかに記載のキーホルダーにおいて、
上記加締面は、上記周壁を介した直下に上記収容孔が配置される位置にマーク溝が形成されている、ことを特徴とするキーホルダー。
【考案の詳細な説明】
【技術分野】
【０００１】
本考案は、複数の鍵を一つにまとめるためのキーホルダーに関する。詳細には、物理的に破壊しないと鍵を離脱することができない安全性の高いキーホルダーに関する。
【背景技術】
【０００２】
キーホルダーは、複数の鍵を一つにまとめることができる。一般的に、キーホルダーは、一度取り付けられた鍵を取り外すことができるように、鍵が着脱自在に連結されているものが多い。このため、悪意ある者が、管理者に気が付かれないよう秘密裏に、キーホルダーから特定の鍵のみを取り外して外部に持ち出し、特定の鍵の合鍵を作成した後に、再度キーホルダーに取り付けるという不正が行われることがある。このような不正の発生を防止する手段の一例として、キーホルダーに鍵を離脱不能に連結し、特定の鍵のみを取り外して外部に持ち出し難くするものがある。
【０００３】
このような鍵を離脱不能に連結するキーホルダーについて一例を挙げると、鍵をキーホルダーの金輪に装着し、金輪の一端部に接合された締結パイプの連結穴内に、金輪の他端部外周に配設されたＣ型止輪を嵌合し、締結解除不能にするデットロックキーホルダーが開示されている（特許文献１）。
【先行技術文献】
【特許文献】
【０００４】
【特許文献１】特開２００４−３６０４３２号公報
【考案の概要】
【考案が解決しようとする課題】
【０００５】
しかし、特許文献１に記載のものは、金輪の端部を締結パイプに挿入する際に、Ｃ型止輪を外径が小さくなるように弾性変形させて案内穴を通過させる必要があり、締結するのに大きな力を要し、連結作業が容易ではない。
【０００６】
本考案はこのような事情の下になされたものであり、その目的は、容易かつ確実に鍵を離脱不能に連結するキーホルダーを提供することにある。
【課題を解決するための手段】
【０００７】
上記課題を解決するために、本考案に係るキーホルダーは、屈曲可能なワイヤと、上記ワイヤの右側端部に上記ワイヤから離脱不能に取り付けられていると共に上記ワイヤの左側端部に設けられたネジ端子を離脱不能に連結して上記ワイヤを環状に保持する連結金具と、を備えるキーホルダーであって、上記ネジ端子には、雄ネジ部と、上記雄ネジ部の左側に配設された棒状体の被加締部と、が形成され、上記連結金具は、左右に開口した筒状の周壁と、上記周壁の左側の開口を閉鎖する底板により、上記ネジ端子が連結される連結穴が形成され、上記連結穴は、上記雄ネジ部が螺合される雌ネジ孔と、上記雌ネジ孔の左側に形成されると共に上記被加締部を収容可能な収容孔と、が形成され、上記周壁の外面に、平面状の加締面が形成され、上記連結金具に上記ネジ端子を連結させる際に、上記雌ネジ孔に上記雄ネジ部を螺合して上記収容孔に上記被加締部が収容された状態で、上記加締面を外面側から加締めて上記連結金具の上記周壁を塑性変形することにより、上記連結金具の上記周壁と上記被加締部を圧着させる、ことを特徴とする（請求項１）。
【０００８】
このように構成することによって、雌ネジ孔に雄ネジ部を螺合して収容孔に被加締部が収容された状態で、加締面を外面側から加締めて連結金具の周壁を塑性変形する作業のみで、鍵とキーホルダーを離脱不能に連結することができる。
【０００９】
この場合、上記連結金具は、上記底板に上記ワイヤが挿通可能な挿通口が形成されており、上記ワイヤが上記挿通口に挿通された状態において、上記ワイヤの右側端部に設けられた係止部と上記底板が係止することにより、上記連結金具が上記ワイヤの右側端部から離脱不能になる方がよい（請求項２）。
【００１０】
このように構成することによって、連結金具をワイヤの右側端部に取り付けることができると共に、連結金具がワイヤから離脱不能にすることができる。
【００１１】
この場合、上記周壁は、左右方向と直交する方向の外周断面が六角形である方がよい（請求項３）。
【００１２】
このように構成することによって、加締め工具による周壁の挟持を容易にして、加締め作業を容易にすることができる。
【００１３】
この場合、上記被加締部は、六角柱形状の棒状体である方がよい（請求項４）。
【００１４】
このように構成することによって、加締面を外周側から加締めて周壁を塑性変形させた際に、周壁と被加締部とが圧着し易くなる。
【００１５】
この場合、上記加締面は、上記周壁を介した直下に上記収容孔が配置される位置にマーク溝が形成されている方がよい（請求項５）。
【００１６】
このように構成することによって、作業者はマーク溝を視認することにより、加締めるのに最適な部位を特定でき、加締め作業を失敗なく行うのを容易にすることができる。
【考案の効果】
【００１７】
本考案のキーホルダーによれば、上記のように構成されているので、容易かつ確実に鍵を離脱不能に連結することができる。
【図面の簡単な説明】
【００１８】
【図１】この考案に係るキーホルダーを示す概略正面図である。
【図２】ワイヤの軸方向で切断したキーホルダーを正面側から見た状態の概略断面図である。
【図３】ワイヤを鍵の取付孔に挿通した後、連結金具にネジ端子を連結させる直前の状態を表す概略断面図である。
【図４】連結金具にネジ端子を連結させた状態を表す概略断面図（ａ），連結金具にネジ端子を連結させた後、加締面を矢印の方向から加締める状態を表す概略断面図（ｂ）である。
【図５】加締め工具の平面図である。
【考案を実施するための形態】
【００１９】
以下、本考案の実施形態に係るキーホルダーについて、図面を参照して説明する。この発明に係るキーホルダー１は、図１〜３に示すように、屈曲可能なワイヤ２と、ワイヤ２の左側端部に設けられたネジ端子２０と、ワイヤの右側端部に設けられた係止部５と、ワイヤ２を環状に保持する連結金具１０と、で主に構成されている。
【００２０】
ワイヤ２は、図１〜３に示すように、例えばステンレス製のワイヤロープであって、外周面が青色のポリ塩化ビニルでコーティングされている。ワイヤ２は、図３で示すように、屈曲可能であって、左側の端面と右側の端面を接合させてワイヤ２が環を形成するように屈曲をすることができる。ワイヤ２の左側端部にはネジ端子２０が設けられており、ワイヤ２の右側端部には係止部５が設けられている。
【００２１】
ネジ端子２０は、図１〜３に示すように、例えば黄銅製の筒状体の外周にネジ山が設けられた雄ネジ部２１と、例えば黄銅製の筒状体であって雄ネジ部２１の左側に連設された中間部２２と、例えば黄銅製の六角柱形状の有底筒状体であって中間部２２の左側に連設された被加締部２３と、を備えている。雄ネジ部２１の外径は被加締部２３の外径より大きく、被加締部２３の外径は中間部２２の外径より大きく形成されている。雄ネジ部２１、中間部２２の貫通孔及び被加締部２３の中空部には、上述したワイヤ２の左側端部が挿通されている。ネジ端子２０とワイヤ２は、加締めて結合されており、ネジ端子２０はワイヤ２の左側端部から離脱不能に連結されている。
【００２２】
係止部５は、図１〜３に示すように、例えば黄銅製の四角柱形状の有底筒状体である。係止部５の中空部には、上述したワイヤ２の右側端部が挿通されている。係止部５の外径は、後述する収容孔１７の内径より小さいが、後述する挿通口１８の内径より大きい。係止部５とワイヤ２は、加締めて結合されており、係止部５はワイヤ２の右側端部から離脱不能に連結されている。
【００２３】
連結金具１０は、図１〜３に示すように、例えば黄銅製であって、左右に開口した筒状の周壁１１と、周壁１１の左側の開口を閉鎖する底板１２と、により構成されている。周壁１１と底板１２により形成される略円柱形状の中空部は、上述したネジ端子２０が連結される連結穴１３となる。連結穴１３は、図２に示すように、上述した雄ネジ部２１が螺合される雌ネジ孔１６と、雌ネジ孔１６の左側に形成されると共に被加締部２３を収容可能な収容孔１７と、が形成されている。雌ネジ孔１６の内径は、収容孔１７の内径より大きく形成されている。
【００２４】
連結金具１０の周壁１１は、左右方向と直交する方向の外周断面が六角形になるように形成されており、図１に示すように、周壁１１の外面に６個の平面長方形状の加締面１４が形成されている。連結金具１０の周壁１１の外面に、平面状の加締面１４が形成されることにより、小さな力で周壁を塑性変形することができる。また、周壁１１の外面が６個の平面長方形状の加締面１４が形成されていることにより、後述する加締め工具５０による周壁１１の挟持を容易にして、加締め作業を容易にすることができる。また、図１，２に示すように、加締面１４は、周壁１１を介した直下に収容孔１７が配置される位置にマーク溝１５が形成されている、
【００２５】
連結金具１０の底板１２は、図２，３に示すように、上述したワイヤ２が挿通可能な円筒状の挿通口１８が形成されている。挿通口１８の開口は、ワイヤ２が遊挿可能な内径ではあるが、ワイヤ２の左側端部に固定されるネジ端子２０の雄ネジ部２１、及び、ワイヤ２の右側端部に固定される係止部５が通過できない内径で形成されている。
【００２６】
上記のように構成されるキーホルダー１の組み立て作業について説明する。作業者は連結金具１０の底板１２に形成された挿通口１８にワイヤ２を挿通させる。次いで、連結金具１０の底板１２の裏面方向のワイヤ２の端部（左側端部）にネジ端子２０を加締めて結合する。次いで、ワイヤ２の右側端部に係止部５を加締めて結合する。以上でキーホルダー１の組み立て作業は完了である。
【００２７】
組み立て作業が完了すれば、連結金具１０は、挿通口１８にワイヤ２が遊挿された状態になり、図２のαにて示す方向すなわち左右方向で移動することができる。挿通口１８の開口は、ワイヤ２の左側端部に固定されるネジ端子２０の雄ネジ部２１が通過できない内径で形成されているため、雄ネジ部２１と連結金具１０の底板１２の裏面が係止することにより、連結金具１０がワイヤの左側端部から離脱することはない。また、挿通口１８の開口は、ワイヤ２の右側端部に固定される係止部５が通過できない内径で形成されているため、係止部５と連結金具１０の底板１２の表面が係止することにより、連結金具１０がワイヤ２の右側端部から離脱することはない。
【００２８】
上記のように構成されるキーホルダー１に鍵７を取り付ける作業について説明する。作業者は、図３で示すように、鍵７の上部に形成された取付孔８にネジ端子２０を挿入しワイヤ２を挿通させる。次いで、連結金具１０を右側端部まで移動し連結金具１０の底板１２の表面と係止部５が係止した状態で、図３で示すように、ワイヤ２が環を形成するようにワイヤ２を屈曲し、ワイヤ２の右側端部に移動された連結金具１０に、ワイヤ２の左側端部に固定されたネジ端子２０を、図３のβにて示す方向から挿入する。
【００２９】
次いで、図４（ａ）で示すように、連結金具１０とネジ端子２０を連結する。具体的には、連結金具１０の連結穴１３にネジ端子２０を挿入した後、連結金具１０を回転して連結金具１０の雌ネジ孔１６をネジ端子２０の雄ネジ部２１に螺合すると共に、連結金具１０の収容孔１７にネジ端子２０の被加締部２３を収容する。
【００３０】
次いで、図４（ｂ）で示すように、連結金具１０とネジ端子２０を離脱不能に連結する。具体的には、図５に示す加締め工具５０を使用し、図４（ｂ）のγにて示す方向から、一の加締面１５と対向する加締面１５を外面側から周壁１１を挟持して加締め、連結金具１０の周壁１１を塑性変形し、連結金具１０の周壁１１と被加締部２３を圧着させる。この際、加締面１４には、周壁１１を介した直下に収容孔１７が配置される位置にマーク溝１５が形成されているので、作業者はマーク溝１５を視認することにより、加締めるのに最適な部位を特定でき、加締め作業を失敗なく行うのを容易にすることができる。上記のようにして、連結金具１０とネジ端子２０を離脱不能に連結されたキーホルダー１は、ワイヤ２を切断する等の物理的な破壊しないと鍵７を離脱することができない。
【００３１】
このように本考案のキーホルダー１によれば、雌ネジ孔１６に雄ネジ部２１を螺合して収容孔１７に被加締部２３が収容された状態で、加締面１４を外面側から加締めて連結金具１０の周壁１１を塑性変形する作業のみで、鍵７とキーホルダー１を離脱不能に連結することができる。このため、本考案のキーホルダー１は、容易かつ確実に鍵を離脱不能に連結することができる。
【００３２】
本考案は上記の実施形態及び実施例の例示に限定されるものでなく、実用新案登録請求の範囲の技術的範囲には、考案の要旨を逸脱しない範囲内で種々、設計変更した形態が含まれる。
【符号の説明】
【００３３】
１  キーホルダー
２  ワイヤ
５  係止部
７  鍵
１０  連結金具
１１  周壁
１２  底板
１３  連結穴
１４  加締面
１５  マーク溝
１６  雌ネジ孔
１７  収容孔
１８  挿通口
２０  ネジ端子
２１  雄ネジ部
２３  被加締部
【図１】
0003218528.tif 000003
【図２】
0003218528.tif 000004
【図３】
0003218528.tif 000005
【図４】
0003218528.tif 000006
【図５】
0003218528.tif 000007